(57)【要約】      （修正有）【課題】液体収納容器の液体を注入し易く、残量の視認も行い易い液体運搬用容器を提供する。【解決手段】上面の端部側の略中央には内部の液体収容容器１２に連結した注入ノズル１１が外部に延出し開閉可能な注入ノズル用蓋部３が形成され、端部側の前側面の上部側には開閉可能な上部把持部１０が形成されるとともに、底面には前側面に対抗する後側面側に下部把持部７が設けられる。上部把持部を持ち、下部把時部を上方向に移動させれば、内部の液体の注入が簡単に行える。その際、注入ノズル用蓋部が開口しているので、内部が視覚しやすく、残液量が容易に視認できる。【選択図】図４
0003190914.tif 000002
【実用新案登録請求の範囲】
【請求項１】
液体収納容器と、この液体収納容器から液体を外部に注入する注入ノズルとを収納した液体運搬用容器で、
前記液体運搬用容器は、直方体形状から成り、上面の端部側の略中央には内部の液体収容容器に連結した注入ノズルが外部に延出し開閉可能な注入ノズル用蓋部が形成され、上記端部側の前側面の上部側には開閉可能な上部把持部が形成されるとともに、底面には前記前側面に対抗する後側面側に下部把持部が設けられ、
前記上部把持部と前記下部把持部とを把持することにより前記注入ノズルから液体を外部へ注入することを特徴とする液体運搬用容器。
【考案の詳細な説明】
【技術分野】
【０００１】
本考案は液体運搬用容器で、液体収納容器を搬送するとともに、液体収容容器内部の液体を注入できる液体運搬用容器に関する。
【背景技術】
【０００２】
従来、液体運搬用容器としては、例えば、特開2000−272661号公報記載のものがあり、容器本体と蓋体を備え、この容器本体に液体充填プラスチック製袋を収納して運搬する運搬用容器で、袋を密閉状態で収納し、袋の口栓を容易に露出させて内容液を安定的に注入できるようにしたものである。
【先行技術文献】
【特許文献】
【０００３】
【特許文献１】特開2000−272661号公報
【考案の概要】
【考案が解決しようとする課題】
【０００４】
このように、従来の液体運搬用容器は、袋を密閉状態で収納し、袋の口栓を容易に露出させて内容液を安定的に注入できるようにしたものでは、密閉状態にするには、その容器の製作にコストがかかり、更には、内容液を注入する作業の際には、持ち難くスムーズに内容液を注入しずらく、内容液の残量も解りにくい。
【０００５】
本考案は、内容液を注入し易く、内容液の残量も解りやすい液体運搬用容器を提供することを目的とする。
【課題を解決するための手段】
【０００６】
本考案に係る液体運搬用容器は、液体収納容器と、この液体収納容器から液体を外部に注入する注入ノズルとを収納した液体運搬用容器で、
前記液体運搬用容器は、直方体形状から成り、上面の端部側の略中央には内部の液体収容容器に連結した注入ノズルが外部に延出し開閉可能な注入ノズル用蓋部が形成され、上記端部側の前側面の上部側には開閉可能な上部把持部が形成されるとともに、底面には前記前側面に対抗する後側面側に下部把持部が設けられ、
前記上部把持部と前記下部把持部とを把持することにより前記注入ノズルから液体を外部へ注入することを特徴とする。
【０００７】
この液体運搬用容器では、その上面に注入ノズル用蓋部が開閉可能に形成されているので、この注入ノズル用蓋部を開口し、内部から注入ノズルを取り出して、液体収納容器に連結し、注入ノズル用蓋部から注入ノズルを外部に延出する。注入作業者は、上記端部側の前側面の上部側には開閉可能な上部把持部が形成されているので、この上部把持部を開口して片手で把持し、底面には前記前側面に対抗する後側面側に下部把持部が設けられているので、片手で把持する。
【０００８】
そして、上部把持部と下部把時部を両手でそれぞれ把持して傾ければ、容易に注入作業ができる。具体的には、上部把持部を持ち、下部把時部を上方向に移動させれば、内部の液体の注入が簡単に行える。
その際には、注入ノズル用蓋部が開口しているので、内部が視覚しやすく、液体収納容器内の残液量が容易に視認できる。
【考案の効果】
【０００９】
本考案によれば、液体収納容器の液体を注入し易く、しかも残量の視認が行い易い液体運搬用容器が得られる。
【図面の簡単な説明】
【００１０】
【図１】本考案に係る液体運搬用容器の斜視図である。
【図２】図1に示す液体運搬用容器のＩＩ−ＩＩ線断面図である。
【図３】図１に示す液体運搬用容器に注入ノズルを連結した状態の斜視図である。
【図４】図３に示す液体運搬用容器のＩＶ−ＩＶ線断面図である。
【考案を実施するための形態】
【００１１】
本考案に係る一実施例を図1乃至図4に基づいて説明する。
液体運搬用容器１は、直方体形状から成り、上面２の端部側の略中央には内部の液体収納容器１２に連結した注入ノズル１１が外部に延出し開閉可能な注入ノズル用蓋部３が形成されている。なお、この液体運搬用容器１は、本実施例では、例えば、段ボールからなっているが、これに限られることはなく、注入ノズル用蓋部が形成できるものであれば、素材材質は問わない。
【００１２】
この注入ノズル用蓋部３は、３辺３ａ、３ｂ、３ｃが上面２との間でミシン目状に形成され、注入ノズル１１を連結する際には、注入ノズル用蓋部３は、３辺３ａ、３ｂ、３ｃと上面２との間のミシン目状を切欠き、上方向に折り上げると基端辺３ｄを境として、上方向に折り曲げることができる。この注入ノズル用蓋部３により、上面２の注入ノズル用開口２ａは開閉可能となっている。この注入ノズル用蓋部３は長方形状に形成されており、基端辺３ｄ以外に上面２との間でミシン目状に形成されている。このように、長方形状に注入ノズル用蓋部３を形成することにより、注入ノズル用開口２ａの強度の向上が図られる。注入ノズル用蓋部３は長方形状に形成しているが、形状はこれに限られず、例えば、台形形状、円形状、多角形状などとすることもできる。また、注入ノズル用蓋部３を上方に折り曲げやすくすべく、注入ノズル用蓋部３と上面２との間に指を差し挟むことができる孔を形成しても良い。やはり、この孔は、上面２との間にミシン目状に形成され、指を押し当てることにより孔が形成され、この孔から注入ノズル用蓋部３を上方に折り曲げるようにすれば、注入ノズル用蓋部３の折り曲げ作業が容易化する。
【００１３】
注入ノズル用蓋部３により、注入ノズル用開口２ａを開口し、この注入ノズル用開口２ａから注入ノズル１１を内部から取り出して、液体収納容器１２に注入ノズル１１一端を連結して注入口側を外部に延出すると、注入ノズル１１により液体収納容器１２内の液体を注入することが出来る。
このように、注入ノズル用蓋部３により、注入ノズル用開口２ａを開口することにより、注入ノズル用開口２ａから内部が視覚しやすく、そのため、液体収納容器１２内の液体の残量の視認がしやすくなる。
【００１４】
そして、注入ノズル用蓋部３を形成した側の前側面４の上部側には上部把持部１０が形成されている。この上部把持部１０は、上部把持部蓋１０ｅにより閉口してなり、その上部把持部蓋１０ｅの４辺１０ａ、１０ｂ、１０ｃ、１０ｄが前側面４との間でミシン目状に形成され、手で把持する際には、上部把持部蓋１０ｅの４辺１０ａ、１０ｂ、１０ｃ、１０ｄと前側面４との間のミシン目状を切欠き、上部把持蓋１０ｅを前側面４から取り外す。上部把持蓋１０ｅを取り外すことにより、前側面４に上部把持部１０が形成され、この上部把持部１０に手を差し込んで把持することができる。
また、上部把持部１０に対向する後側面には、後把持部１３ａが形成されており、この後把持部１３ａは後把持部蓋１３により閉口されて覆われている。後把持部蓋１３は前記上部把持部蓋１０ｅと同様に上下左右がミシン目状に形成されており、手で把持する際には、ミシン目状を切欠き、後把持部蓋１３を取り外すことにより、この後把持部１３ａに手を差し込んで把持することができる。
【００１５】
さらに、液体運搬用容器１には、その底面５に、下部把持部７が設けられている。この下部把持部７は、前側面４に対抗する後側面側に設けられ、手を差し込んで把持することができる。
【００１６】
なお、液体収納容器１２の注入口１２ａは、蓋体１２ｂにより塞がれており、液体を注入する際に、蓋体１２ｂを取り外して、注入口１２ａに注入ノズル１１を取り付ける。
本実施例では、液体として、例えば、トラックなどに使用するディーゼル機関排ガス清浄用還元剤である高品位尿素水を収納する場合につき説明するが、液体としては、これに限られることはなく、醤油、食用油など種々の液体であっても良い。
【００１７】
また、この液体収納容器は、プラスチック製の容器で、その素材は軟質性合成樹脂、例えば、ポリエチレン、ポリプロピレン、塩化ビニール等の樹脂から成っている。
【００１８】
上記構成に係る液体運搬用容器１は、図1、２に示すように、液体運搬用容器１の底面５に設けた下部把持部７が開口しているが、上部把持部１０は上部把持部蓋１０ｅにより、注入ノズル用開口２ａは注入ノズル用蓋部３により、それぞれ閉口している。液体運搬用容器１の内部には、液体収納容器１２と注入ノズル１１が収納されている。
【００１９】
この状態で、作業者は、図３，４に示すように、注入ノズル用蓋部３は、３辺３ａ、３ｂ、３ｃが上面２との間でミシン目状に形成されているので、上面２との間のミシン目状を切欠き、注入ノズル用蓋部３を上方向に折り上げると基端辺３ｄを境として、上方向に折り曲げることができ注入ノズル用開口２ａを開口する。そして、注入ノズル用開口２ａから液体運搬用容器１の内部に設けられている注入ノズル１１を取り出す。
【００２０】
液体収納容器１２の注入口１２ａは、蓋体１２ｂにより塞がれており、液体を注入する際には、蓋体１２ｂを取り外して、注入口１２ａに注入ノズル１１を取り付ける。作業者は、注入ノズル用開口２ａから内部が視覚できるので、液体収納容器１２内の液体残量を視認しやすい。
【００２１】
その後、作業者は、注入ノズル用蓋部３を形成した側の前側面４の上部側には上部把持部１０が形成されているが、この上部把持部１０は、上部把持部蓋１０ｅにより閉口し、その上部把持部蓋１０ｅの４辺１０ａ、１０ｂ、１０ｃ、１０ｄが前側面４との間でミシン目状に形成されているので、上部把持部蓋１０ｅの４辺１０ａ、１０ｂ、１０ｃ、１０ｄと前側面４との間のミシン目状を切欠き、上部把持蓋１０ｅを前側面４から取り外す。
上部把持蓋１０ｅを取り外すことにより、前側面４に上部把持部１０が形成され、この上部把持部１０に片手を差し込んで把持することができる。更に、作業者は、液体運搬用容器１には、その底面５に、下部把持部７が設けられているので、この下部把持部７に手を差し込んで把持することができる。
【００２２】
作業者は、上部把持部１０に片手を把持し、下部把持部７に片手を把持し、下部把持部７を上方向に持ち上げると、注入ノズル１１により液体収納容器１２内の液体を注入することができ、上部把持部１０と下部把持部７により、容易に液体を注入する作業が行い易くなる。
【００２３】
上部把持部１０は、注入ノズル用蓋部３を形成した側の前側面４の上部側に設けているので、注入の際には液体収納容器１２を安定して把持することが出来る。また、下部把持部７は前側面に対抗する後側面側となる底面５に設けられているので、下部把持部７の持ち上げにより注入量の操作がしやすくなる。
【００２４】
液体の注入後は、液体収納容器１２の注入口１２ａから注入ノズルを取り外し、蓋体１２ｂにより注入口１２ａを塞ぐ。そして、注入ノズル用開口２ａから注入ノズル１１を内部に収納し、注入ノズル用蓋部３を元の位置に戻すと、注入ノズル用開口２ａは閉口する。その後。液体を注入する際に、液体残量は、注入ノズル用蓋部３を持ち上げると、注入ノズル用開口２ａが開口するので、内部が視覚しやすく、液体残量の視認が容易に行える。
【００２５】
なお、液体収納容器１２を移動させる際には、上部把持部１０と後把持部１３ａに手を差し込むことができるので、容易に移動することができる。
【符号の説明】
【００２６】
１は液体運搬用容器
３は注入ノズル用蓋部
７は下部把時部
１０は上部把持部
１１は注入ノズル
１２は液体収納容器
【図１】
0003190914.tif 000003
【図２】
0003190914.tif 000004
【図３】
0003190914.tif 000005
【図４】
0003190914.tif 000006